(57)【要約】【課題】オゾン濃度を制御することにより必要に応じて高濃度とすることができ、オゾンによる除菌・消臭等の効果を高めつつ加湿も行うことのできるオゾンミスト発生装置を提供すること。【解決手段】このオゾナイザーＳは、貯水タンク４と、貯水タンク４内の水をオゾン化する紫外線ランプ６を有する装置本体２と、オゾン化された水を霧状化してオゾンミストとするミスト発生器１２とを有し、貯水タンク４は、紫外線ランプ６を内部に収容し、紫外線ランプ６の周囲を水が覆うように配置させる紫外線ランプ収容室Ｒと、紫外線ランプ収容室Ｒ内で紫外線ランプ６によってオゾン化されたオゾン化空気をオゾンミストと合流させる案内経路１０と、オゾンミストを排出する排出口２ａとを有し、かつ、装置本体２に対して着脱可能とされており、装置本体２が、貯水タンク４の着脱を検出する着脱センサー８を有している。【選択図】図１
2012020238.tif 000002
【特許請求の範囲】
【請求項１】
内部に水を貯留する貯水タンクと、
前記貯水タンク内の水をオゾン化する紫外線ランプを有する装置本体と、
前記オゾン化された水を霧状化してオゾンミストとするミスト発生手段と、を有するオゾンミスト発生装置であって、
前記貯水タンクは、
前記紫外線ランプを内部に収容し、該紫外線ランプの周囲を前記水が覆うように配置させる紫外線ランプ収容室と、
該紫外線ランプ収容室内で前記紫外線ランプによってオゾン化されたオゾン化空気を前記オゾンミストと合流させる合流手段と、
前記オゾンミストを排出する排出口と、を有し、かつ、前記装置本体に対して着脱可能とされており、
前記装置本体が、前記貯水タンクの着脱を検出する着脱センサーを有する、ことを特徴とするオゾンミスト発生装置。
【請求項２】
前記貯水タンクが、
前記紫外線ランプ収容室を有するボトル部と、
前記オゾン化された水を噴霧する噴霧部と、
を有する霧吹き手段と交換可能であることを特徴とする請求項１に記載のオゾンミスト発生装置。
【請求項３】
前記装置本体が、
前記貯水タンクの着脱に基づいて前記紫外線ランプのオンオフを制御する制御手段を更に有することを特徴とする請求項１又は請求項２に記載のオゾンミスト発生装置。
【請求項４】
前記ミスト発生手段が、超音波方式又は加熱方式により前記オゾン化された水を霧状化することを特徴とする請求項１から請求項３のうちいずれか１項に記載のオゾンミスト発生装置。
【発明の詳細な説明】
【技術分野】
【０００１】
本発明は、オゾンミスト発生装置に係り、特にオゾン濃度を制御することによりオゾンによる効果を高めることのできるオゾンミスト発生装置に関する。
【背景技術】
【０００２】
従来より、オゾンが有する除菌（殺菌）効果、消臭効果などの様々な効果が知られている。また、紫外線ランプや電気分解により空気や水をオゾン化してオゾンガスやオゾン水を生成することが可能であることも知られている。また、冬の乾燥対策のために、従来より加湿器も用いられている。加湿器を用いて加湿すれば、乾燥による皮膚のトラブルを解消したり、ある種のウィルスを不活性化することができる。
【０００３】
これらの両者の特性を活かすべく、オゾン水をミスト化してオゾンミストを発生する提案も為されている（例えば、特許文献１を参照。）。このものによれば、毛細管現象によって送液された水をＵ字型の紫外線ランプによりオゾン化し、超音波加湿器によってミスト化している。
【先行技術文献】
【特許文献】
【０００４】
【特許文献１】特開２００６−３５００９号公報
【発明の概要】
【発明が解決しようとする課題】
【０００５】
しかしながら、紫外線ランプによって水をオゾン化する際の効率はさほど高くないので、オゾンミストによる高い除菌効果や消臭効果を期待できない場合がある。したがって、より一層高い除菌効果や消臭効果を必要とする場合には、特許文献１に開示のもののように、単に送液された水を紫外線ランプでオゾン化するのみでは充分なオゾン濃度が得られず、オゾン効果が不充分な場合があった。
【０００６】
本発明は、上記の事情に鑑みて為されたもので、オゾン濃度を制御することにより必要に応じて高濃度とすることができ、オゾンによる除菌・消臭等の効果を高めつつ加湿も行うことのできるオゾンミスト発生装置を提供することを例示的課題とする。
【課題を解決するための手段】
【０００７】
上記の課題を解決するために、本発明の例示的側面としてのオゾンミスト発生装置は、内部に水を貯留する貯水タンクと、貯水タンク内の水をオゾン化する紫外線ランプを有する装置本体と、オゾン化された水を霧状化してオゾンミストとするミスト発生手段と、を有するオゾンミスト発生装置であって、貯水タンクは、紫外線ランプを内部に収容し、紫外線ランプの周囲を水が覆うように配置させる紫外線ランプ収容室と、紫外線ランプ収容室内で紫外線ランプによってオゾン化されたオゾン化空気をオゾンミストと合流させる合流手段と、オゾンミストを排出する排出口と、を有し、かつ、装置本体に対して着脱可能とされており、装置本体が、貯水タンクの着脱を検出する着脱センサーを有する、ことを特徴とする。
【０００８】
貯水タンクが紫外線ランプ収容室を有しているので、貯水タンク内の水に効率よく紫外線を照射することができ、オゾン発生率を向上させることができる。その結果、オゾンミストのオゾン濃度（オゾン含有率）を向上させることができる。また、紫外線ランプ収容室内で空気をオゾン化してオゾン化空気を生成し、そのオゾン化空気を合流手段によってオゾンミストと合流させている。オゾンミスト内のオゾンだけでなくオゾン化空気のオゾンも加えることができ、オゾン濃度を一層向上させることができる。
【０００９】
もちろん、合流手段が調整バルブ等の合流量調整手段を有していれば、オゾン化空気の合流量を調整することができ、必要に応じてオゾン濃度を高濃度とすることも低濃度とすることも可能である。
【００１０】
また、貯水タンクが装置本体に対して着脱可能とされているので、水の補給や廃棄が容易に行える。異なる形状の貯水タンクや容量の異なる貯水タンクを必要に応じて適宜着脱交換可能である。着脱センサーが貯水タンクの着脱を検出するので、装置本体に貯水タンクが装着されてオゾンミスト発生可能な状態であるか、装置本体から貯水タンクが取り外されてオゾンミスと発生不可能な状態であるか、を容易に判別することができる。
【００１１】
なお、ミスト発生手段は、装置本体に設けられていても貯水タンクに設けられていてもよい。装置本体にミスト発生手段が設けられる場合は、貯水タンク側にミスト発生手段用の電源供給や配線等を行う必要がないが、貯水タンクから装置本体側のミスト発生手段へと水を供給する給水経路が必要となる。また、貯水タンクの取外し状態においても装置本体側にミスト発生手段が残ることとなる。貯水タンクを交換しても装置本体側のミスト発生手段を共通して利用することができる。
【００１２】
一方、貯水タンクにミスト発生手段が設けられる場合は、貯水タンク側のミスト発生手段用の配線等（接触端子等）が必要となるが、装置本体側への給水経路が不要である。また、貯水タンクごとに異なる形式のミスト発生手段を設定することができる。貯水タンクの容量やユーザの好みに応じて種々のミスト発生手段を選択してオゾンミスト発生装置に使用することができる。
【００１３】
貯水タンクが、紫外線ランプ収容室を有するボトル部と、オゾン化された水を噴霧する噴霧部と、を有する霧吹き手段と交換可能であってもよい。
【００１４】
貯水タンクが着脱可能であるので、霧吹き手段を貯水タンクとして使用することができる。この場合、ボトル内の水をオゾン化し、そのオゾン化された水を噴霧部によって霧状化してオゾンミストとして使用する。霧状化においてミスト発生手段を用いない。また、合流手段によるオゾン化空気の合流も行わない。
【００１５】
ユーザは、ボトル内の水をオゾン化した後に霧吹き手段を装置本体から取り外して携帯し、所望の場所でオゾンミストを噴霧することができる。したがって、可搬性、携帯性に優れ、装置本体をわざわざ移動しなくても所望の場所でオゾンミストを自由に噴霧することができる。
【００１６】
装置本体が、貯水タンクの着脱に基づいて紫外線ランプのオンオフを制御する制御手段を更に有してもよい。
【００１７】
貯水タンクを装置本体から取り外した際に、制御手段により紫外線ランプをオフにする（消灯させる）ことができるので、貯水タンクのない状態で、紫外線ランプが点きっ放しとなる状態を防止することができる。紫外線ランプから放出される紫外線は、波長や光量によっては人体に有害となる場合があるが、この構成によれば、貯水タンクの取り外し時に確実に自動的に紫外線ランプを消灯させることができるので危険防止に寄与する。また、省電力にも貢献する。
【００１８】
ミスト発生手段が超音波方式又は加熱方式によりオゾン化された水を霧状化してもよい。
【００１９】
ミスト発生手段に、超音波方式を採用すれば、粒子の細かいミストを生成することができる。また、高温とならず安全であり、省電力にも貢献する。一方、ミスト発生手段に加熱方式を採用すれば、超音波振動子を用いないので静粛性に優れ、簡単な構造で安価なものとすることができる。また、ヒータにより高温ミストを発生させるので、細菌等の繁殖を抑制することができる。もちろん、設計上の都合により、又は、ユーザの好みに応じていずれかを使用すればよいし、ミスト発生手段を交換可能として適宜交換して使用できるように構成してもよい。ミスト発生手段は、上記に説明したように装置本体に設けられていてもよいし、貯水タンクに設けられていてもよい。
【００２０】
本発明の更なる課題又はその他の特徴は、以下添付図面を参照して説明される好ましい実施例によって明らかにされるであろう。
【発明の効果】
【００２１】
本発明によれば、オゾン濃度を制御することにより必要に応じて高濃度とすることができ、オゾンによる除菌・消臭等の効果を高めつつ加湿も行うことができる。また、貯水タンクを着脱可能とすることができ、必要に応じて霧吹き手段を装置本体に装着することができる。また、貯水タンクの着脱を検出して、安全性の向上や省電力に寄与することができる。
【図面の簡単な説明】
【００２２】
【図１】本発明の実施の形態１に係るオゾナイザーの外観斜視図である。
【図２】図１に示すオゾナイザーの内部構成の概略を示す構成図である。
【図３】図１に示す貯水タンクの概略構成を示す構成図である。
【図４】図１に示すオゾナイザーの制御手段による制御手順を示すフローチャートである。
【図５】本発明の実施の形態２に係るオゾナイザーの外観斜視図である。
【発明を実施するための形態】
【００２３】
［実施の形態１］
以下、本発明の実施の形態１に係るオゾナイザー（オゾンミスト発生装置）について説明する。図１は、このオゾナイザー（オゾンミスト発生装置）Ｓの外観斜視図である。図２は、オゾナイザーＳの内部構成の概略を示す構成図である。図２においては、部分的に断面図で示している。
【００２４】
オゾナイザーＳは、装置本体２、貯水タンク４、紫外線ランプ６、着脱センサー８、案内経路（合流手段）１０、ミスト発生器（ミスト発生手段）１２を有して大略構成される。装置本体２は、このオゾナイザーＳの基部として主要な構成物を内包する本体部分である。装置本体２は、紫外線ランプ６、着脱センサー８、ミスト発生器１２、給水経路１４、スイッチ１６、制御手段１８を有している。
【００２５】
紫外線ランプ６は、例えば波長１０〜４００ｎｍの紫外線を発光する発光手段である。紫外線を水や空気に照射することにより、オゾン空気やオゾン水を生成する。紫外線ランプ６は、例えば図に示すように、上下に伸びる直管型であって、全方位に向けて紫外線を放出する。照射対象としての空気や水は、紫外線ランプ６の周囲を囲んで全周に亘って存在することが好ましく、なるべく照射面積を大きく確保することがオゾン化効率向上の観点から望ましい。紫外線ランプ６は、貯水タンク４が装置本体２に装着された状態で、貯水タンク４の紫外線ランプ収容室Ｒ内に位置するように配置されている。紫外線ランプ６の周囲を貯水タンク４内の水が覆うように位置し、紫外線ランプ６によって効率よく水のオゾン化ができるようになっている。また、紫外線ランプ６は、紫外線ランプ収容室Ｒ内の空気もオゾン化する。紫外線ランプ６は、制御手段１８と接続されている。
【００２６】
着脱センサー８は、貯水タンク４の装置本体２への着脱を検出するための検出手段である。装置本体２は、貯水タンク４を着脱する着脱部を有しており、その着脱部に貯水タンク４が着脱可能となっている。貯水タンク４を装置本体２に装着した場合に、装置本体２側に貯水タンク４からの水が供給され、貯水タンク４を装置本体２から取り外した場合に、装置本体２側からの水の供給が停止される。
【００２７】
着脱センサー８は、装置本体２に貯水タンク４が装着された状態においてオン信号を出力し、貯水タンク４が取り外された状態においてオフ信号を出力するようになっている。着脱センサー８としては、例えば、貯水タンク４との接触で検出片が移動することにより貯水タンク４の着脱を検出するマイクロスイッチ、貯水タンク４の着脱で検出光が遮光／透光されることにより貯水タンク４の着脱を検出する投受光センサー等を適用することができる。着脱センサー８は、制御手段１８と接続されている。
【００２８】
ミスト発生器１２は、貯水タンク４から供給される水を霧状化するためのものである。貯水タンク４から供給される水は、ミスト発生器１２に至る前に紫外線ランプ６によってオゾン化されている。ミスト発生器１２は、装置本体２側に設けられていても、貯水タンク４側に設けられていてもよい。貯水タンク４側にミスト発生器１２を設けた場合は、貯水タンク４側のミスト発生器１２に電源を供給する必要があるので、貯水タンク４と装置本体２との間で電気的接続（コネクタ接続や接点接触等）を確保する必要がある。この場合、貯水タンク４ごとに異なるミスト発生器１２を設けることができる。
【００２９】
ミスト発生器１２としては、例えば、超音波振動子によって水を振動させることにより水を霧状化する超音波方式のもの、ヒーター等の加熱手段によって加熱することにより水を蒸散させて霧状化する加熱方式のもの等を適用することができる。また、空気との接触により空気中の熱を気化熱として利用して水を気化させる気化方式のものも、ミスト発生器（加湿手段）１２として用いることもできる。本実施の形態１においては、ミスト発生器１２は超音波方式のものであり、装置本体２側に設けられている場合を例として説明する。ミスト発生器１２によって発生したミスト（オゾンミスト）は、装置本体２の排出口２ａから大気中へと排出されて拡散される。
【００３０】
給水経路１４は、装置本体２に貯水タンク４が装着された場合に、貯水タンク４から供給される水をミスト発生器１２へと導くための経路である。ミスト発生器１２が貯水タンク４側に設けられている場合は給水経路１４は不要であるが、本実施の形態１においてはミスト発生器１２が装置本体２側に設けられているので給水経路１４が必要となる。
【００３１】
給水経路１４は、例えば、貯水タンク４に形成された給水孔４ａとミスト発生器１２とに連通形成されている。給水孔４ａにはシャッター４ｂが設けられており、装置本体２側の給水経路１４近傍には、シャッター４ｂ開閉用の突起１４ａが設けられている。貯水タンク４の給水孔４ａは、通常はバネ等の付勢手段によって閉鎖方向に付勢されるシャッター４ｂによって閉鎖され、給水孔４ａから水が漏出しないようになっている。
【００３２】
貯水タンク４を装置本体２に装着する際に、付勢手段による付勢力に抗して突起１４ａがシャッター４ｂを開放するようになっており、それにより貯水タンク４の装着と同時に貯水タンク４内の水が給水経路１４内に流入するようになっている。給水経路１４内に流入した水は、ミスト発生器１２へと導かれる。
【００３３】
スイッチ１６は、このオゾナイザーＳの主電源供給をオンオフするためのもので、装置本体２に設けられている。スイッチ１６は制御手段１８に接続されており、スイッチ１６のオンによって、紫外線ランプ６、着脱センサー８、ミスト発生器１２の電源供給が開始可能となっている。
【００３４】
もちろん、スイッチ１６は、紫外線ランプ６やミスト発生器１２を個別に電源オンオフできるようになっていてもよい。例えば、貯水タンク４の代わりに後述する霧吹き手段を装置本体２に装着した場合において、ミスト発生器１２の電源だけが個別にオフできるようになっていれば便利である。このように構成されていれば、貯水タンク４の代わりに霧吹き手段が装着されて、ミスト発生器１２に水が供給されない場合において、ミスト発生器１２の駆動を停止させることができる。なお、本実施の形態１においては、ミスト発生器１２の近傍における給水経路１４内に給水の有無を検出する給水センサー１４ｂが制御手段１８に接続された状態で設けられている。給水センサー１４ｂが給水有りを検出すると、給水有り信号が制御手段１８へと送信されてミスト発生器１２が駆動され、給水センサー１４ｂが給水無しを検出すると、給水無し信号が制御手段１８へと送信されてミスト発生器１２が駆動停止される。
【００３５】
制御手段１８は、貯水タンク４の装置本体２への着脱に基づいて紫外線ランプ６のオンオフを制御するものである。制御手段１８は、例えばＣＰＵを有するコンピュータ、リレー式スイッチ回路、シーケンス制御器等により電気又は電子的に構成される。制御手段１８は、紫外線ランプ６、着脱センサー８、ミスト発生器１２、給水センサー１４ｂ、スイッチ１６と接続されている。
【００３６】
制御手段１８は、着脱センサー８及び給水センサー１４ｂからの信号に基づき、紫外線ランプ６、ミスト発生器１２の動作（オンオフ）を制御する。その制御手順の詳細については、後述する。
【００３７】
貯水タンク４は、内部に水を貯留するためのタンク部材であり、装置本体２に対して着脱可能に構成されている。図３は、貯水タンク４の概略構成を示す構成図である。貯水タンク４は、例えば樹脂で形成されており、紫外線ランプ収容室Ｒ、給水孔４ａ、シャッター４ｂ、案内経路（合流手段）１０、空気孔４ｃを有している。
【００３８】
貯水タンク４を装置本体２に装着すると、その装着が着脱センサー８によって検出されるようになっている。紫外線ランプ収容室Ｒは、装置本体２側の紫外線ランプ６を内部に収容するように、例えば底面側において筒状に形成された凹室であって、紫外線ランプ６の周囲を水が覆うように配置される。貯水タンク４を装置本体２に装着すると、紫外線ランプ６が紫外線ランプ収容室Ｒ内に配置され、紫外線によって周囲の水がオゾン化される。また、紫外線によって紫外線ランプ収容室Ｒ内の空気もオゾン化される。
【００３９】
案内経路１０は、紫外線ランプ収容室Ｒと空気孔４ｃとを連通する空気通路である。オゾン化された紫外線ランプ収容室Ｒ内の空気が、案内経路１０を通って空気孔４ｃへと案内されるようになっている。貯水タンク４を装置本体２に装着した状態で、空気孔４ｃと装置本体２側の導入孔２ｂとが対向するようになっており、空気孔４ｃから導入孔２ｂを介して装置本体２側へと移動したオゾン化空気が排出口２ａ近傍においてオゾンミストを合流し、排出口２ａから大気中へと拡散するようになっている。
【００４０】
本実施の形態１においては、案内経路１０は、紫外線ランプ収容室Ｒと空気孔４ｃとを連通するように、貯水タンク４内部に空気通路として形成されている。しかしながら、案内経路１０は、オゾン化された空気をオゾンミストと合流させるものであればよく、例えば、紫外線ランプ収容室Ｒから排出口２ａ近傍までを接続する接続チューブであってもよい。また、案内経路１０の少なくとも一部が装置本体２側に形成されていてもよく、オゾン化空気が装置本体２内部の案内経路１０内を案内されてオゾンミストと合流されてもよい。なお、オゾンミストとの合流位置は、排出口２ａ近傍に限られず、オゾン水が霧状化された後のオゾンミストとオゾン化空気とが合流されるようになっていればよい。
【００４１】
給水孔４ａは、装置本体２から貯水タンク４を取り外した状態において、付勢手段（不図示）によって閉鎖方向に付勢されるシャッター４ｂによって閉鎖され、水の漏出が防止されている。貯水タンク４を装置本体２に装着すると、突起１４ａがシャッター４ｂを押し上げて給水孔４ａを開放し、内部の水が給水経路１４へと導入されるようになっている。
【００４２】
続いて、制御手段１８によるオゾナイザーＳの制御手順について説明する。
【００４３】
図４は、この制御手段１８によるオゾナイザーＳの制御手順を示すフローチャートである。スイッチ１６をオンにすると（Ｓ１）、制御手段１８は着脱センサー８に電源供給を開始し、着脱センサー８によるオンオフ信号を監視する（Ｓ２）。それと共に、制御手段１８は給水センサー１４ｂにも電源供給を開始し、給水センサー１４ｂによる給水の有無信号を監視する（Ｓ３）。
【００４４】
貯水タンク４が装置本体２に装着されて着脱センサー８がオンになると（Ｓ４）、制御手段１８は紫外線ランプ６を点灯させる（Ｓ５）。一方、貯水タンク４が装置本体２に装着されておらず（又は取り外されて）、着脱センサー８がオフになると、制御手段１８は紫外線ランプ６を消灯させる（Ｓ６）。貯水タンク４の取り外しに伴って紫外線ランプ６が消灯されるので、安全性が高く、かつ省電力である。
【００４５】
貯水タンク４内に水が貯留された状態で貯水タンク４が装置本体２に装着されると、貯水タンク４内の水が紫外線ランプ６によってオゾン化される。また、紫外線ランプ収容室Ｒ内の空気もオゾン化されて案内経路１０内に導かれる。
【００４６】
貯水タンク４が装置本体２に装着されるとシャッター４ｂが開放される。貯水タンク４内に水が貯留されている場合には、給水経路１４内にオゾン化された水が供給される。給水経路１４内にオゾン水が供給され、給水センサー１４ｂが給水有りを検出すると（Ｓ７）、制御手段１８はミスト発生器１２を駆動させる（Ｓ８）。これにより、オゾンミストが発生し、装置本体２の排出口２ａから拡散される。その際、紫外線ランプ６によってオゾン化されて案内経路１０によって導かれたオゾン化空気が、排出口２ａ近傍においてオゾンミストと合流して高濃度のオゾンミストとなり、その高濃度のオゾンミストが排出口２ａから拡散される。
【００４７】
貯水タンク４内の水が減少し、又は貯水タンク４が装置本体２から取り外されることにより給水経路１４内にオゾン水がなくなると、給水センサー１４ｂが給水無しを検出する（Ｓ７）。その場合、ミスト発生器１２の駆動は停止される（Ｓ９）。
【００４８】
なお、案内経路１０内、空気孔４ｃ、導入孔２ｂのいずれかの近傍にオゾン化空気の通過を制御する流量調整バルブ、オゾン化空気の通過を遮断するシャッター部材等を設置し、オゾン化空気のオゾンミストへの合流量を調整又は遮断することができるように構成すれば、オゾン濃度を高濃度とするのみならず、必要に応じてオゾン濃度を調整し、低濃度とすることもできる。
【００４９】
［実施の形態２］
図５は、本発明の実施の形態２に係るオゾナイザーＳの外観斜視図である。このオゾナイザーＳにおいては、装置本体２部分は上記実施の形態１に係るオゾナイザーＳと共通であるが、貯水タンク４の代わりに霧吹き手段２０が装着されている。
【００５０】
オゾナイザーＳは、貯水タンク４を着脱可能に構成されている。そして、貯水タンク４を取り外して、その代わりに霧吹き手段２０を装置本体２に装着することが可能となっている。霧吹き手段２０と貯水タンク４とは、装置本体２の着脱部に対応する部分の形状が実質的に共通化されている。すなわち、霧吹き手段２０を装置本体２に装着すると、着脱センサー８によって霧吹き手段２０の装着が検出されるようになっている。
【００５１】
もちろん、着脱センサー８は、貯水タンク４の装着と霧吹き手段２０の装着とを区別せず着脱自体のみを検出するものであってもよいし、貯水タンク４の装着と霧吹き手段２０の装着とを区別して検出するものであってもよい。例えば、霧吹き手段２０の装着を貯水タンク４の装着と区別して検出することができれば、霧吹き手段２０の装着検出時には、装置本体２側のミスト発生器１２への電源供給を停止したり、給水センサー１４ｂへの電源供給を停止したりするように構成することができる。霧吹き手段２０の装着時には、ミスト発生器１２や給水センサー１４ｂは使用しないので、不要な電源供給を停止して省電力に貢献することができる。
【００５２】
霧吹き手段２０には、貯水タンク４と同様に、そのボトル部２０ａに紫外線ランプ収容室Ｒが凹設されている。これにより、霧吹き手段２０を装置本体２に装着した場合に、紫外線ランプ収容室Ｒ内に紫外線ランプ６を収容させ、霧吹き手段２０のボトル部２０ａ内に貯留された水を効率的にオゾン化することができる。
【００５３】
霧吹き手段２０は、ボトル部２０ａ内の水を噴霧する噴霧部２０ｂを有している。したがって、霧吹き手段２０を装置本体２から取り外した状態で、霧吹き手段２０単体でオゾン水を霧状化して噴霧することができる。装置本体２をわざわざ移動させなくとも、霧吹き手段２０のみを様々な場所に移動させてその場所でオゾンミストを発生させることができる。
【００５４】
なお、霧吹き手段２０には、紫外線ランプ収容室Ｒ内の空気をオゾンミストと合流させるための合流手段は設けられていない。霧吹き手段２０は可搬性に優れ、様々な場所に持ち運びしてオゾンミストを噴霧するような使用形態が想定される。必要な場所に簡単に移動させて、ピンポイントでスポット的にオゾンミストを噴霧することができるので、オゾン化空気をオゾンミストと合流させる必要がない。
【００５５】
また、霧吹き手段２０を装置本体２に装着した場合には、着脱センサー８によって装着が検出され、紫外線ランプ６が点灯してボトル部２０ａ内の水がオゾン化される。この場合においても、給水センサー１４ｂは給水無しを検出するので、装置本体２側のミスト発生器１２は駆動停止状態である。もちろん、霧吹き手段２０を装置本体２から取り外すと、着脱センサー８により取り外しが検出されて、紫外線ランプ６が消灯されるので安全性は確保されている。
【００５６】
以上、本発明の好ましい実施の形態を説明したが、本発明はこれらに限定されるものではなく、その要旨の範囲内で様々な変形や変更が可能である。
【符号の説明】
【００５７】
Ｓ：オゾナイザー（オゾンミスト発生装置）
２：装置本体
２ａ：排出口
２ｂ：導入孔
４：貯水タンク
４ａ：給水孔
４ｂ：シャッター
４ｃ：空気孔
６：紫外線ランプ
８：着脱センサー
１０：案内経路（合流手段）
１２：ミスト発生器（ミスト発生手段）
１４：給水経路
１４ａ：突起
１４ｂ：給水センサー
１６：スイッチ
１８：制御手段
２０：霧吹き手段
２０ａ：ボトル部
２０ｂ：噴霧部
Ｒ：紫外線ランプ収容室
【図１】
2012020238.tif 000003
【図２】
2012020238.tif 000004
【図３】
2012020238.tif 000005
【図４】
2012020238.tif 000006
【図５】
2012020238.tif 000007